(57)【要約】【課題】アンテナ装置単体にて金属部材の影響を考慮した検査を確実に行うことにより、安定したアンテナ特性を得ることができるアンテナ装置の検査装置およびアンテナ装置の検査方法を提供する。【解決手段】アンテナと、アンテナ特性を調整する整合回路とが磁性部材に設けられたアンテナ装置を検査するためのアンテナ装置の検査装置であって、金属部材と、金属部材の上に設けられた所定の厚さのスペーサと、アンテナ特性を測定する測定装置とを有し、測定装置は、スペーサの上に載置されたアンテナ装置のアンテナ特性を測定する。【選択図】図２
2009175049.tif 000002
【特許請求の範囲】
【請求項１】
アンテナと、アンテナ特性を調整する整合回路とが磁性部材に設けられたアンテナ装置を検査するためのアンテナ装置の検査装置であって、
金属部材と、
前記金属部材の上に設けられた所定の厚さのスペーサと、
前記アンテナ特性を測定する測定装置とを有し、
前記測定装置は、
前記スペーサの上に載置された前記アンテナ装置のアンテナ特性を測定することを特徴とするアンテナ装置の検査装置。
【請求項２】
前記スペーサの厚さは、前記アンテナ装置が所定の情報処理端末装置に内蔵されたときのアンテナ特性が等価となる厚さであることを特徴とする請求項１記載のアンテナ装置の検査装置。
【請求項３】
前記アンテナ装置と、前記金属部材とを接続するための容量部をさらに有することを特徴とする請求項１または２記載のアンテナ装置の検査装置。
【請求項４】
前記容量部は、所定の情報処理端末装置の内部回路の容量成分を模したものであることを特徴とする請求項３記載のアンテナ装置の検査装置。
【請求項５】
前記アンテナ装置は、金属構造部材を有する情報処理端末装置に内蔵される非接触ＩＣカードであることを特徴とする請求項１から４のいずれか１項に記載のアンテナ装置の検査装置。
【請求項６】
アンテナと、アンテナ特性を調整する整合回路とが磁性部材に設けられたアンテナ装置を検査するためのアンテナ装置の検査方法であって、
金属部材の上に設けられた所定の厚さのスペーサの上に前記アンテナ装置を載置し、
前記アンテナ特性を測定する測定装置を用いて、前記アンテナ装置のアンテナ特性を測定することを特徴とするアンテナ装置の検査方法。
【請求項７】
前記スペーサの厚さは、前記アンテナ装置が所定の情報処理端末装置に内蔵されたときのアンテナ特性が等価となる厚さであることを特徴とする請求項６記載のアンテナ装置の検査方法。
【請求項８】
前記測定装置を用いて前記アンテナ特性を測定するときに、前記アンテナ装置と、前記金属部材とを接続することを特徴とする請求項６または７記載のアンテナ装置の検査方法。
【請求項９】
前記アンテナ装置と、前記金属部材との接続は、所定の情報処理端末装置の内部回路の容量成分を模した容量部を介して行うことを特徴とする請求項８記載のアンテナ装置の検査方法。
【請求項１０】
前記アンテナ装置は、金属構造部材を有する情報処理端末装置に内蔵される非接触ＩＣカードであることを特徴とする請求項６から９のいずれか１項に記載のアンテナ装置の検査方法。
【発明の詳細な説明】
【技術分野】
【０００１】
本発明は、アンテナ特性を検査するためのアンテナ装置の検査装置およびアンテナ装置の検査方法に関する。
【背景技術】
【０００２】
非接触でデータ通信を行うための非接触通信用アンテナ装置（例えば、非接触ＩＣカード）が内蔵される携帯端末では、非接触通信を行うためのアンテナの近傍（例えば、アンテナの下）に金属部材が配置される構造が一般的である。このように、金属部材がアンテナの近傍に配置されると、アンテナ特性に対して影響を与えてしまい、アンテナ特性を劣化させる原因となる。このアンテナ特性の劣化を防ぐために、アンテナと金属部材との間に磁性部材を設けることが多い。なお、このような構成の非接触通信用アンテナ装置は、例えば、特許文献１に開示されている。
【０００３】
上記携帯端末に内蔵されるアンテナ装置の一例として、図４に示すように、磁性部材の上にアンテナや整合回路等が設けられた非接触通信用アンテナ装置（以下、アンテナ装置という）がある。このようなアンテナ装置では、アンテナ特性を示す共振周波数を整合回路にて調整している。すなわち、アンテナ装置は、アンテナ装置単体で測定された共振周波数に基づいて、所望の周波数範囲に入るように整合回路の定数を決定している。ただし、このアンテナ装置を携帯端末等に内蔵すると、金属部材の影響により周波数がずれることが多くなる。すなわち、アンテナ装置を構成するアンテナのインダクタンス成分の変動量が生じる。また、アンテナ装置を構成する磁性部材の透磁率のばらつきによっても、金属部材の影響量の変動にばらつきが多くなる。その結果、アンテナ特性のばらつきが大きくなってしまうという事態が生じる。
【０００４】
このような事態を防ぐため、アンテナ装置を携帯端末等に内蔵する前に、図４に示す共振周波数測定装置を用いて、アンテナ装置における金属部材の影響を推測して検査・調整を行っている。しかし、確実に検査・調整することは困難となっている。
【特許文献１】特開２００５−２６７４３号公報
【発明の開示】
【発明が解決しようとする課題】
【０００５】
本発明は、上記事情に鑑みてなされたものであり、アンテナ装置単体にて金属部材の影響を考慮した検査を確実に行うことにより、安定したアンテナ特性を得ることができるアンテナ装置の検査装置およびアンテナ装置の検査方法を提供することを目的とする。
【課題を解決するための手段】
【０００６】
かかる目的を達成するために、本発明のアンテナ装置の検査装置は、アンテナと、アンテナ特性を調整する整合回路とが磁性部材に設けられたアンテナ装置を検査するためのアンテナ装置の検査装置であって、金属部材と、金属部材の上に設けられた所定の厚さのスペーサと、アンテナ特性を測定する測定装置とを有し、測定装置は、スペーサの上に載置されたアンテナ装置のアンテナ特性を測定することを特徴とする。
【０００７】
また、本発明のアンテナ装置の検査方法は、アンテナと、アンテナ特性を調整する整合回路とが磁性部材に設けられたアンテナ装置を検査するためのアンテナ装置の検査方法であって、金属部材の上に設けられた所定の厚さのスペーサの上にアンテナ装置を載置し、アンテナ特性を測定する測定装置を用いて、アンテナ装置のアンテナ特性を測定することを特徴とする。
【発明の効果】
【０００８】
本発明によれば、安定したアンテナ特性を実現できるアンテナ装置を提供することが可能となる。
【発明を実施するための最良の形態】
【０００９】
以下、本発明を実施するための最良の形態について添付図面を参照して詳細に説明する。
【００１０】
まず、本発明の検査装置および検査方法による検査の対象となる非接触通信用アンテナ装置について、図１を参照して説明する。図１は、非接触通信用アンテナ装置の構成の要部を示す図であり、（ａ）は上面図、（ｂ）は側面図である。ここで説明する非接触通信用アンテナ装置（以下、アンテナ装置という）は、非接触でデータ通信を行うための装置であり、例えば、非接触ＩＣカードが挙げられる。また、このアンテナ装置は、携帯端末（例えば、携帯電話機）等の情報処理端末装置に内蔵される。
【００１１】
図１に示すように、アンテナ装置は、磁性部材１１、アンテナ１２、整合回路１３および端子接続部１４を有する。磁性部材１１の上には、アンテナ１２、整合回路１３、端子接続部１４がそれぞれ設けられている。
【００１２】
アンテナ１２は、中央に開口部を備えたループ形状である。その形状は、図１に示す矩形の他に、円形、略矩形、多角形のいずれであってもよい。また、アンテナ１２の材質は、導電性の金属製線材、金属製板材、金属製箔材または金属製筒材等から適宜選択することができる。
【００１３】
磁性部材１１としては、シート状または板状のフェライトコア等や、軟磁性体粉末を樹脂材料等の有機結合体内に混練した磁性体シートを用いることができる。
【００１４】
整合回路１３は、図１では省略しているが、プリント基板上に、例えば、発振回路、電力増幅回路、電流検出回路、制御回路、アンテナ調整回路、送信回路、受信回路等の各回路が形成されている。上記各回路により、整合回路１３は、アンテナ１２を介して非接触通信を行う。
【００１５】
また、アンテナ１２と整合回路１３とは結線されており、アンテナ１２のインダクタンスと整合回路１３の定数により、アンテナ特性を示す共振周波数が一義的に決められる。整合回路１３は、アンテナ特性を示す共振周波数を調整する。すなわち、整合回路１３は、後述する共振周波数測定装置により測定された共振周波数に基づいて、所望の周波数範囲に入るように定数を決定する。
【００１６】
端子接続部１４は、アンテナ１２と整合回路１３とを外部より接続するための端子である。
【００１７】
次に、本発明の一実施形態である、アンテナ装置の検査装置（以下、検査装置という）、および、アンテナ装置の検査方法（以下、検査装置という）について説明する。図２は、本実施形態の検査装置の構成の要部を示す図である。アンテナ装置を携帯端末等に内蔵する前に、図２に示す検査装置を用いて、図１に示すアンテナ装置単体でアンテナ特性の検査（検査方法）を行う。
【００１８】
本実施形態の検査装置は、図２に示すように、金属部材（金属構造部材。例えば、金属板）２２、スペーサ２３、容量部２４及び共振周波数測定装置２５を有する。金属部材２２上には、スペーサ２３と容量部２４とが設けられている。スペーサ２３は、携帯端末等にアンテナ装置を内蔵したときのアンテナ特性が等価となる厚さのものとする。容量部２４は、携帯端末等の内部回路の容量成分を模したものである。
【００１９】
図２に示すように構成された検査装置において、スペーサ２３の上にアンテナ装置２１を載置する。アンテナ装置２１は、図１の（ａ）および（ｂ）に示すものである。スペーサ２３に載置されたアンテナ装置２１と、金属部材２２との距離は、スペーサ２３の厚みにより一定に保たれる。
【００２０】
また、アンテナ装置２１の端子接続部１４と、容量部２４とを接続する。これにより、アンテナ装置２１と、金属部材２２とが接続される。
【００２１】
そして、アンテナ装置２１のアンテナ１２側の上方に配置された共振周波数測定装置２５により共振周波数を測定する。整合回路１３は、その測定結果に基づいて、所望の周波数範囲に入るように定数を決定する。このようにして、整合回路１３の定数の最適化を実施する。
【００２２】
通常、金属部材が存在する携帯端末等にアンテナ装置を内蔵すると、図３に示すように、アンテナ装置と金属部材との距離により、アンテナのインダクタンス値が変動する。かつ、金属部材と同距離においても透磁率μ’値の変動により、インダクタンス値の変動量差ΔＬが生じる。これにより、アンテナ装置のみのアンテナ特性と、アンテナ装置を携帯端末等に内蔵したときのアンテナ特性とにおいて、アンテナ特性に差が生じる原因となっている。また、アンテナ特性を調整する整合回路がアンテナ装置上にあるため、携帯端末等へ内蔵した後の調整が困難となっている。
【００２３】
しかし、上述したように、本実施形態の検査装置においては、アンテナ装置２１と一定距離を保つスペーサ２３および簡素な金属部材２２とによって携帯端末等の構造を模する。よって、複雑な携帯端末等の構造を再現することなく、携帯端末等に内蔵したときのアンテナ装置２１のインダクタンス値の変動を考慮することができる。つまり、携帯端末等に内蔵したときのアンテナ特性が等価となるような任意の厚さのスペーサ２３を配置することにより、任意の透磁率μ’値でのアンテナ装置のインダクタンス値の変動を再現することができる。これにより、共振周波数測定装置２５で測定を行いながら、整合回路１３の定数の最適化を行うことができる。よって、本実施形態の検査装置および検査方法は、アンテナ装置を携帯端末等に内蔵することなくアンテナ装置単体で、携帯端末等に内蔵することによるアンテナ特性への影響変動を抑えることとなり、安定したアンテナ特性を得ることができる。
【００２４】
また、本実施形態の検査装置においては、携帯端末等の内部回路の容量成分を模した容量部２４を金属部材２２と接続する。よって、さらに高精度に携帯端末等の構造を再現することができ、確実なアンテナ装置の調整・検査を実施できる。
【００２５】
従って、本実施形態の検査装置及び検査方法では、アンテナと整合回路の最適化および磁性部材の透磁率のばらつきを吸収する調整・検査を実施することができる。その結果、安定したアンテナ特性を実現できるアンテナ装置を提供することができる。
【００２６】
また、本実施形態の検査装置は、簡素な金属部材２２やスペーサ２３等により携帯端末等の構造を再現しているので、アンテナ装置の調整・検査を容易かつ安価に実施できる。
【００２７】
以上、本発明の実施形態について説明したが、上記実施形態に限定されるものではなく、その要旨を逸脱しない範囲において種々の変形が可能である。本発明では、検査対象として、携帯端末等に内蔵されるアンテナ装置を例として挙げているが、上記と類似したアンテナと金属部材の構成を持つその他の装置に対しても、上記と同じ効果を得ることができる。
【産業上の利用可能性】
【００２８】
本発明は、携帯電話機、ＰＨＳ（Personal Handyphone System）、ＰＤＡ（Personal Data Assistance，Personal Digital Assistants：個人向け携帯型情報通信機器）等の携帯端末に内蔵される非接触通信用のアンテナ装置に適用できる。
【図面の簡単な説明】
【００２９】
【図１】本発明の実施形態に係るアンテナ装置の構成を示す図である。
【図２】本発明の実施形態に係るアンテナ装置の検査装置の構成を示す図である。
【図３】アンテナ装置と金属部材との距離と、アンテナのＬ値との関係を示す図である。
【図４】本発明に関連するアンテナ装置の検査装置の構成を示す図である。
【符号の説明】
【００３０】
１１    磁性部材
１２    アンテナ
１３    整合回路
１４    端子接続部
２１    アンテナ装置
２２    金属部材
２３    スペーサ
２４    容量部
２５    共振周波数測定装置
【図１】
2009175049.tif 000003
【図２】
2009175049.tif 000004
【図３】
2009175049.tif 000005
【図４】
2009175049.tif 000006